(57)【要約】【課題】浴室１の外部に例えばデジタルチューナ３を設置して、地上デジタル放送を既設の浴室テレビ２で再生する場合や、オーディオ装置４を浴室１の外部に設置して浴室１に設置したスピーカ４１から音楽を再生する場合など、デジタルチューナ３やオーディオ装置４の操作を浴室１内で行う要請がある。ところが、赤外線式のリモコンでは赤外線が浴室１の壁部を透過しないので、浴室１の外部に機器を設置する毎に浴室１内に赤外線の受光部を設けなければならない。【解決手段】既設の浴室テレビ２が浴室１内にある場合、浴室テレビ２の受光部から出力される信号であって、リモコンから射出される赤外線に重畳されているものをそのままダイレクトに信号線２５を介して外部に出力するようにした。この信号線２５の先端に発光部２６，２７を設ければ新たに受光部を浴室１内に設けることなく外部の機器を浴室１内から制御できる。【選択図】  図１
2006304098.tif 000002
【特許請求の範囲】
【請求項１】
浴室の壁面に取り付けられ、テレビ画面を表示する表示部と、赤外線式のリモコンから射出される赤外線を受光する受光部とを備えたテレビ本体を有し、受光部で受光した赤外線に重畳されている信号をそのまま出力するリモコン信号出力部を備えたことを特徴とする浴室テレビ。
【請求項２】
請求項１に記載の浴室テレビを用い、上記リモコン信号出力部に赤外線発光手段を接続し、この赤外線発光手段から射出される赤外線によって、浴室外に設置された機器の制御を行うことを特徴とする浴室テレビシステム。
【請求項３】
上記浴室外に設置された機器は地上デジタル放送用のデジタルチューナであって、ＲＦコンバータを内蔵し、このＲＦコンバータから出力されるアナログ信号を上記浴室テレビのアンテナ信号入力部に入力させることを特徴とする請求項２に記載の浴室テレビシステム。
【請求項４】
上記浴室外に設置された機器はオーディオ装置であり、このオーディオ装置の作動開始に連動してテレビ音声を消音させるようにしたことを特徴とする請求項２または請求項３に記載の浴室テレビシステム。
【発明の詳細な説明】
【技術分野】
【０００１】
本発明は、浴室に設置される浴室テレビと、その浴室テレビを用いた浴室テレビシステムに関する。
【背景技術】
【０００２】
従来より浴室に浴室テレビを設置し、入浴しながらテレビ放送を鑑賞できるようにしたものが多数提案されている。これらの浴室テレビのうち、リモコンによってチャンネルの切替や音量の増減といった操作を行うようにしたものが知られている（例えば、特許文献１参照）。
【特許文献１】実用新案登録第２５０３５６４号公報（第１図）
【発明の開示】
【発明が解決しようとする課題】
【０００３】
上記従来のものでは、浴室内から操作できる機器は浴室テレビだけである。そのため、例えばオーディオ装置を設けて浴室内で音楽を鑑賞したい場合には、浴室テレビとは別途に新たにオーディオ装置を設置する必要がある。ところが、オーディオ装置自体は浴室テレビと違って浴室から見える必要がないので、脱衣室等の浴室外に設置することになる。すると、赤外線は浴室の壁部を透過することができないので、浴室外に設置したオーディオ装置等の機器の制御を行うことができない。
【０００４】
なお、上記公報に記載のように、浴室内に受光部を設けて、その受光部で受光した赤外線から信号を分離して浴室外に転送することも考えられるが、浴室外に設置する機器の台数が増えると、それに伴って浴室内に設置する受光部の数が増加するという不具合が生じる。
【０００５】
そこで本発明は、上記の問題点に鑑み、浴室内に別途の受光部を増設することなく浴室外の機器の制御を行うことのできる浴室テレビと、その浴室テレビを用いた浴室テレビシステムとを提供することを課題とする。
【課題を解決するための手段】
【０００６】
上記課題を解決するために本発明による浴室テレビは、浴室の壁面に取り付けられ、テレビ画面を表示する表示部と、赤外線式のリモコンから射出される赤外線を受光する受光部とを備えたテレビ本体を有し、受光部で受光した赤外線に重畳されている信号をそのまま出力するリモコン信号出力部を備えたことを特徴とする。
【０００７】
浴室テレビに設けられた受光部は浴室テレビの制御を行うリモコンからの赤外線を受光するためのものである。しかし、他の機器の制御用のリモコンからの赤外線も受光することができる。ただし、他の機器用のリモコンからの赤外線に重畳されている信号が浴室テレビ側で解析できない場合には浴室テレビはその信号を無視するだけである。一方、受光した赤外線の信号をそのまま出力し、他の機器まで転送すれば、浴室テレビで受光した赤外線の信号を、その他の機器まで転送することになる。これにより、浴室テレビが設けられていれば他に何ら受光部を浴室内に増設することなく、浴室内から他の機器を制御することができる。
【０００８】
そして、このような浴室テレビを用いれば、上記リモコン信号出力部に赤外線発光手段を接続し、この赤外線発光手段から射出される赤外線によって、浴室外に設置された機器の制御を行うことを特徴とする浴室テレビシステムを構成することができる。
【０００９】
上記浴室外に設置された機器は地上デジタル放送用のデジタルチューナであって、ＲＦコンバータを内蔵し、このＲＦコンバータから出力されるアナログ信号を上記浴室テレビのアンテナ信号入力部に入力させるように構成してもよい。
【００１０】
また、上記浴室外に設置された機器はオーディオ装置であり、このオーディオ装置の作動開始に連動してテレビ音声を消音させるように構成することもできる。
【発明の効果】
【００１１】
以上の説明から明らかなように、本発明は、赤外線式のリモコンから射出される赤外線を受光する受光部とを備えたテレビ本体を有し、受光部で受光した赤外線に重畳されている信号をそのまま出力するリモコン信号出力部を設けたので、別途の受光部を浴室に設けなくても浴室外に設置した機器の制御を浴室内から行うことができる。
【発明を実施するための最良の形態】
【００１２】
図１を参照して、１は浴室であり、浴室１の壁面には浴室テレビ２が取り付けられている。この浴室テレビ２は赤外線式のリモコン２１によって操作される。図２を参照して、リモコン２１から射出された赤外線は浴室テレビ２に内蔵されている受光部２２に受光される。
【００１３】
この受光部２２は赤外線を受光すると、その受光した赤外線に重畳されている信号を分離して電気信号に変換して出力するものである。この受光部２２から出力された信号は制御部２３に入力される。この制御部２３には予め各種の制御内容に対応して制御コードが格納されており、受光部２２から入力された信号に一致する制御コードがあればその制御コードに対応する制御を行う。なお、２４は液晶表示部である。
【００１４】
例えば、リモコン２１で音量を上げる操作をすると、音量を上げるという操作に対応する信号が重畳された赤外線がリモコン２１から射出され、受光部２２に受光される。受光部２２からその信号が分離され制御部２３に入力されると、制御部２３はその信号を解析して音量を上げる制御を行う。
【００１５】
なお、受光部２２から制御部２３に入力される信号が、制御部２３に予め格納されている制御コードに一致しない場合には、制御部２３はその信号を無視し何らの制御も行わない。
【００１６】
本発明では受光部２２で分離された信号を制御部２３に入力させると共に、信号線２５を介して外部に出力するようにした。この信号線２５を介して出力される信号は受光部２２に受光された赤外線に重畳されていた信号そのもので何らの加工もされていないものである。
【００１７】
図１に戻り、この信号線２５は浴室１の外部で２系統に分岐され、各々の先端に発光部２６，２７を接続した。これら発光部２６，２７は共に信号線２５から入力される信号を赤外線に重畳させて射出するものである。したがって、浴室１内でリモコン２１に限らず、いずれかの赤外線式のリモコンを操作すると、そのリモコンから射出された赤外線と同じ信号が重畳された赤外線が両発光部２６，２７から同時に射出されることになる。
【００１８】
一方の発光部２６はデジタルチューナ３の受光部（図示せず）に対向させた。このデジタルチューナ３は赤外線式のリモコンによって操作されるものであり、したがって、デジタルチューナ３用のリモコンから射出される赤外線と同じ信号が重畳された赤外線を、発光部２６から射出すれば、デジタルチューナ３の操作を行うことができる。
【００１９】
このデジタルチューナ３はデジタル放送用のデジタル信号を受信して画像信号と音声信号とを生成したあと、それら両信号を浴室テレビ２のアンテナ信号入力端子に入力可能な信号に変換するＲＦコンバータ３１を備えている。
【００２０】
一方、浴室テレビ２は地上アナログ放送の電波が入力されるアンテナ信号入力端子を備えており、そのアンテナ信号入力端子から入力されるアナログ放送信号を再生して画像を表示し、またテレビ音声を発音するものである。浴室テレビ２のチャンネルを１または２にセットした状態で、ＲＦコンバータ３１からのアナログ信号が浴室テレビ２のアンテナ信号入力端子に入力されると、地上デジタル放送の画像及び音声が浴室テレビ２で再生される。
【００２１】
４はオーディオ装置であり、図外の音楽ＣＤを再生し、あるいはラジオ放送を受信するものである。このオーディオ装置４からは音声信号が出力され、浴室１の天井に取り付けられたスピーカ４１によって再生される。このオーディオ装置４もデジタルチューナ３と同様に赤外線式のリモコンによって操作されるものである。そのため、浴室１内でオーディオ装置４用のリモコンを操作すると、発光部２７から赤外線が射出され、オーディオ装置４の制御を行うことができる。なお、本実施の形態では、オーディオ装置４の外部入力端子にコード３２を介してデジタルチューナ３からの音声信号を入力した。
【００２２】
上記構成によれば、浴室テレビ２の他にデジタルチューナ３及びオーディオ装置４用のリモコンを浴室１内に持ち込むことにより、別途の受光部を浴室１内に増設することなく浴室１内からデジタルチューナ３及びオーディオ装置４の操作を行うことができる。
【００２３】
したがって、メーカが異なる外部の機器であっても機器を簡単に増設することができる。また、浴室テレビ２とデジタルチューナ３やオーディオ装置４等の機器のメーカを統一し制御コードを共通化すれば、１台のリモコンで浴室テレビ２の他、他の機器の制御を行うことができる。なお、１台のリモコンで操作をする場合には、浴室テレビ２及び他の機器を個別に制御してもよいが、例えばオーディオ装置４を作動させる操作を行うと自動的に浴室テレビ２の音声が消音されるように、浴室テレビ２と他の機器の作動とを連動させることができる。
【００２４】
なお、本発明は上記した形態に限定されるものではなく、本発明の要旨を逸脱しない範囲内において種々の変更を加えてもかまわない。
【図面の簡単な説明】
【００２５】
【図１】本発明の一実施の形態の構成を示す図
【図２】浴室テレビの内部を示すブロック図
【符号の説明】
【００２６】
１  浴室
２  浴室テレビ
３  デジタルチューナ
４  オーディオ装置
２２  受光部
２６  発光部
２７  発光部
【図１】
2006304098.tif 000003
【図２】
2006304098.tif 000004